(57)【特許請求の範囲】
【請求項１】
フエンス本体と埋設固定された支持柱とからなる既設フエンスの支持柱のみを残してフエンス本体を除去し、ねじ孔が横設された新設支持柱をその既設支持柱に被嵌して既設支持柱の前面を隠蔽すると共に前記ねじ孔に螺入したボルトの先端で既設支持柱の側面を押圧し、その反作用で前記側面に相対する他方の側面にこの新設支持柱を圧接させることにより、新設支持柱を既設支持柱に固定し、この新設支持柱に新設フエンス本体を取付けるフエンスの改修方法であって、新設支持柱は、既設支持柱の前面を隠蔽する前面板と左右の側面板とからなるコ字状体と、その左右の側面板間に上下に適宜間隔をおいて架設された固定ボルトとからなり、前記前面板に横設されたねじ孔より螺入したボルトの先端で既設支持柱の側面を押圧し、その反作用で前記側面に相対する他方の側面に固定ボルトの側部を圧接させることにより、新設支持柱を既設支持柱に固定することを特徴とするフエンスの改修方法。
【発明の詳細な説明】
【０００１】
【発明の属する技術分野】
本発明は、老朽化や破損した既設フエンスを新設フエンスに改修するためのフエンスの改修方法に関するものである。
【０００２】
【従来の技術】
従来、老朽化や破損した既設フエンスを新設フエンスに改修するには色々な方法があった。例えば、フエンスはフエンス本体とそのフエンス本体を支持するために路面等に埋設固定された支持柱とから構成されるが、第一の方法として、この既設フエンス本体と既設支持柱とを全て除去した後、改めて新設支持柱を埋設固定し、この新設支持柱に新設フエンス本体を固定する方法、第二の方法として、既設フエンス本体を除去すると共に既設支持柱の非埋設部分を切断除去した後、残った既設支持柱に新設支持柱を支持させ、この新設支持柱に新設フエンスを固定する方法、第三の方法として、既設支持柱を残して既設フエンス本体のみを除去した後、この既設支持柱に新設支持柱を被嵌すると共に新設支持柱と既設支持柱とを貫通ボルトで固定させることにより、新設支持柱を既設支持柱に固定し、この新設支持柱に新設フエンス本体を固定する方法等がある。
【０００３】
【発明が解決しようとする課題】
しかしながら第一の方法においては、埋設固定された既設支持柱を除去して新設支持柱を改めて埋設固定するのは大変な手間であり時間もかかり、又第二の方法においては、既設支持柱の非埋設部分を切断除去する加工が大変な手間であり、さらに第三の方法においては、新設支持柱と既設支持柱とを貫通ボルトで固定するための貫通孔を予め既設支持柱に穿設加工する必要があり、これまた大変な手間である。
【０００４】
そこで本発明は、上記の如き問題点を解決し、容易に且つ手間なく迅速に既設フエンスを新設フエンスに改修することのできるフエンスの改修方法を提供せんとするものである。
【０００５】
【課題を解決するための手段】
上記目的を達成するために、本発明は次のような構成としている。すなわち本発明に係るフエンスの改修方法は、フエンス本体と埋設固定された支持柱とからなる既設フエンスの支持柱のみを残してフエンス本体を除去し、ねじ孔が横設された新設支持柱をその既設支持柱に被嵌して既設支持柱の前面を隠蔽すると共に前記ねじ孔に螺入したボルトの先端で既設支持柱の側面を押圧し、その反作用で前記側面に相対する他方の側面にこの新設支持柱を圧接させることにより、新設支持柱を既設支持柱に固定し、この新設支持柱に新設フエンス本体を取付けることを特徴とするものである。
【０００６】
本発明によれば、既設支持柱を残し、この既設支持柱にねじ孔が横設された新設支持柱を被嵌すると共にねじ孔に螺入したボルトの先端で既設支持柱の側面を押圧し、その反作用で前記側面に相対する他方の側面にこの新設支持柱を圧接させ、新設支持柱を既設支持柱に固定するようになされている。従って、既設支持柱に対しては切断や孔開け等の加工を何らすることなく、ねじ孔に螺入したボルトの先端で単に既設支持柱の側面を押圧することにより新設支持柱を既設支持柱に固定させるようになされているので、改修作業が極めて容易となり、又手間もかからず迅速に行うことができる。
【０００７】
【発明の実施の形態】
以下に本発明の実施の形態につき図面に基づき具体的に説明する。
【０００８】
まず図１は、既に設置されている既設フエンスの設置状態を示す正面図であり、既設フエンスはネットや縦横桟等のパネル体等からなる既設フエンス本体１と、路面等に埋設固定された既設支持柱２とから構成され、この既設支持柱２に既設フエンス本体１が取付支持されている。
【０００９】
図２は本発明による実施の一形態を示し、前記既設フエンスを新設フエンスに改修した後の設置状態を示す正面図であり、図３は図２の側面図、図４は断面図である。
【００１０】
すなわち既設フエンスの既設支持柱２のみを残して既設フエンス本体１を除去し、その既設支持柱２に既設支持柱２の前面を隠蔽して新設支持柱３が被嵌されている。新設支持柱３は、この形態では、図４の如く既設支持柱２の前面を隠蔽する前面板３１と左右の側面板３２とからなるほぼ既設支持柱２と同長のコ字状体３３と、その左右の側面板３２間に上下に適宜間隔をおいて予め架設された固定ボルト３４とから形成され、さらに前記前面板３１の上下にねじ孔３５が複数横設され、又左右の側面板３２より鍔部３６が張り出され、この鍔部３６に取付孔３７が穿設されているものである。
【００１１】
そして前記前面板３１で既設支持柱２の前面を隠蔽するように、この新設支持柱３を既設支持柱２に被嵌して、コ字状体３３と固定ボルト３４の間に既設支持柱２を配置させ、前面板３１のねじ孔３５より螺入したボルト４を締めつけることにより、このボルト４の先端で既設支持柱２の前面を押圧し、その反作用で既設支持柱２の裏面に固定ボルト３４の側部を圧接させ、新設支持柱３を既設支持柱２に固定している。
【００１２】
なお前記固定ボルト３４は、前記の如く予め左右の側面板３２間に架設されていてもよいが、まずコ字状体３３を既設支持柱２の前面に被嵌し、その後に既設支持柱２の背面側で固定ボルト３４を左右の側面板３２間に架設するようにしてもよい。
【００１３】
次いでこのコ字状体３３の鍔部３６に穿設された取付孔３７にフックボルト５を螺着し、このフックボルト５により新設フエンス本体６を引き寄せて前面板３１の前面に圧接させることにより、新設フエンス本体６を新設支持柱３に取付固定している。
【００１４】
なお新設フエンス本体６を新設支持柱３に取付固定するために、前記フックボルト５に加えて適宜他の公知の固着手段が新設フエンス本体６と新設支持柱３との間に介在されていてもよい。
【００１５】
新設支持柱３は、図５の如く筒状体から形成されていてもよい。すなわち図５は、本発明による実施の他の形態を示し、既設フエンスを新設フエンスに改修した後の設置状態を示す断面図であり、図６は図５の正面図である。
【００１６】
この新設支持柱３は、上下にねじ孔３５が複数横設された筒状体から形成されており、この新設支持柱３を既設支持柱２に被嵌し、前記ねじ孔３５より螺入したボルト４を締めつけることにより、このボルト４の先端で既設支持柱２の背面を押圧し、その反作用で既設支持柱２の前面に新設支持柱３の内面を圧接させることにより、新設支持柱３を既設支持柱２に固定している。
【００１７】
そして新設支持柱３の背面に配置した止め板７の左右の側端部に穿設した取付孔７１にフックボルト５を螺着し、このフックボルト５により新設フエンス本体６を新設支持柱３の前面に引き寄せて圧接させることにより、新設フエンス本体６を新設支持柱３に取付固定している。
【００１８】
なお前記図４に示されたコ字状体３３と固定ボルト３４とからなる新設支持柱３を用いると、既設支持柱２の前面がコ字状体３３の前面板３１により隠蔽されるが、既設支持柱２の背面は隠蔽されず露出されたままである。しかしこの露出された背面によって既設支持柱２の老朽状態を経日的に観察することができる利点がある。
【００１９】
また図５は参考図であり、筒状体からなる新設支持柱３を用いると、既設支持柱２が全体的に新設支持柱３により隠蔽されるために、既設支持柱２の老朽状態を経日的に観察することはできないが、老朽化した既設支持柱２が一切外観に現れないので美観を向上させる利点がある。
【００２０】
なお新設フエンス本体６は、好適にはネットからなるパネル体が用いられるが、縦横桟からなるパネル体であってもよく、新設フエンス本体６の形状、形態は特に限定されるものではない。又新設フエンス本体６は、その上端や下端にＬ字状の胴縁等が適宜取付けられていてもよい。又上記形態では、既設フエンス本体１は斜め格子状のネットからなり、新設フエンス本体６は縦横格子状のネットからなるが、特に限定されるものではなく、既設フエンス本体１の形態に関係なく、適宜形態の新設フエンス本体６を取付けることができる。
【００２１】
【発明の効果】
本発明によれば、既設支持柱を残し、この既設支持柱にねじ孔が横設された新設支持柱を被嵌すると共にねじ孔に螺入したボルトの先端で既設支持柱の側面を押圧し、その反作用で前記側面に相対する他方の側面にこの新設支持柱を圧接させ、新設支持柱を既設支持柱に固定するようになされている。従って、既設支持柱に対しては切断や孔開け等の加工を何らすることなく、ねじ孔に螺入したボルトの先端で単に既設支持柱の側面を押圧することにより新設支持柱を既設支持柱に固定させるようになされているので、改修作業が極めて容易となり、又手間もかからず迅速に行うことができる。
【図面の簡単な説明】
【図１】  既に設置されている既設フエンスの設置状態を示す正面図である。
【図２】  本発明による実施の一形態を示し、既設フエンスを新設フエンスに改修した後の設置状態を示す正面図である。
【図３】  図２の側面図である。
【図４】  図２の断面図である。
【図５】  既設フエンスを新設フエンスに改修した後の設置状態を示す参考断面図である。
【図６】  図５の正面図である。
【符号の説明】
１    既設フエンス本体
２    既設支持柱
３    新設支持柱
３１  前面板
３２  側面板
３３  コ字状体
３４  固定ボルト
３５  ねじ孔
３６  鍔部
３７  取付孔
４    ボルト
５    フックボルト
６    新設フエンス本体
７    止め板
７１  取付孔
【図１】
0003706237.tif 000002
【図２】
0003706237.tif 000003
【図３】
0003706237.tif 000004
【図４】
0003706237.tif 000005
【図５】
0003706237.tif 000006
【図６】
0003706237.tif 000007